(57)【要約】本発明は、部分的または完全に塩化された強酸機能を有する少なくとも１種のモノマーの、少なくとも１種の中性モノマーおよび式（Ｉ）を有する少なくとも１種のモノマーとの、分枝または架橋されたアニオン性高分子電解質に関する。  【化１】2013504645.tif 000008ここで、Ｒは８〜２０個の炭素原子を含む線状または分枝アルキルラジカルを表し、ｎは１以上２０以下の数を表す。また、本発明は局所組成物中の増粘剤としてのその使用に関する。【選択図】    なし
2013504645.tif 000002
【特許請求の範囲】
【請求項１】
強酸機能を有し、部分的に塩化されたまたは完全に塩化された少なくとも１種のモノマーの、少なくとも１種の中性モノマー、および式（Ｉ）の少なくとも１種のモノマーとの少なくとも１種の架橋剤の存在下での重合の結果から得られる架橋されたアニオン性高分子電解質：
【化１】
2013504645.tif 000007
ここで、Ｒは８個から２０個までの炭素原子を有する線状または分枝のアルキル基を表しており、ｎは１以上２０以下の数を表している。
【請求項２】
強酸機能を有する前記モノマーは部分的に塩化されたまたは完全に塩化された２−メチル２［（１−オキソ２−プロペニル）アミノ］１−プロパンスルフォン酸である請求項１に記載のアニオン性電解質。
【請求項３】
強酸機能を有する前記モノマーは、アンモニウム塩の形態で部分的にまたは完全に塩化されている、２−メチル２［（１−オキソ２−プロペニル）アミノ］１−プロパンスルフォン酸である請求項２に記載のアニオン性高分子電解質。
【請求項４】
前記中性モノマーはアクリルアミド、（２−ヒドロキシ−エチル）アクリラートまたはＮ,Ｎ−ジメチルアクリルアミドより選択される請求項１〜３のいずれか１項に記載のアニオン性高分子電解質。
【請求項５】
前記中性モノマーはＮ,Ｎ−ジメチルアクリルアミドである請求項４に記載のアニオン性高分子電解質。
【請求項６】
前記中性モノマーはアクリルアミドである請求項４に記載のアニオン性高分子電解質。
【請求項７】
前記中性モノマーは（２−ヒドロキシ−エチル）アクリラートである請求項４に記載のアニオン性高分子電解質。
【請求項８】
式（Ｉ）において、Ｒは１２個から１８個までの炭素原子を有するアルキル基を表している請求項１〜７のいずれか１項に記載のアニオン性高分子電解質。
【請求項９】
式（Ｉ）の前記モノマーはテトラエトキシル化ラウリルメタクリラートである請求項８に記載のアニオン性高分子電解質。
【請求項１０】
式（Ｉ）の前記モノマーはエイコサエトキシル化ステアリルメタクリラートである請求項８に記載のアニオン性高分子電解質。
【請求項１１】
以下のポリマーより選択される請求項１〜１０のいずれか１項に記載のアニオン性高分子電解質：
−アンモニウム塩の状態で完全に塩化された２−メチル２−［（１−オキソ２−プロペニル）アミノ］１−プロパンスルフォン酸と、アクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、アクリルアミドと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、エイコサエトキシル化ステアリルメタクリラートとの、トリメチロールプロパントリアクリラートで架橋されたターポリマー。
【請求項１２】
使用するモノマーを１００％として：
−２０ｍｏｌ．％から８０ｍｏｌ．％までの、強酸機能を有するモノマーに由来するモノマー単位；
−１５ｍｏｌ．％から７５ｍｏｌ．％までの、中性モノマーに由来するモノマー単位；
−０．５％から５ｍｏｌ．％までの、上で定義した式（Ｉ）のモノマーに由来するモノマー単位
を含む請求項１〜１１のいずれか１項に記載の分枝または架橋されたアニオン性高分子電解質。
【請求項１３】
使用するモノマーを１００％として：
−５５ｍｏｌ．％から８０ｍｏｌ．％までの、強酸機能を有するモノマーに由来するモノマー単位；
−１５ｍｏｌ．％から４０ｍｏｌ．％までの、中性モノマーに由来するモノマー単位；
−１％から５ｍｏｌ．％までの、上で定義した式（Ｉ）のモノマーに由来するモノマー単位
を含む請求項１２に記載の分枝または架橋されたアニオン性高分子電解質。
【請求項１４】
化粧品用、皮膚医薬用または医薬用の局所組成物の増粘剤および／または安定剤および／または乳化剤としての、請求項１〜１３のいずれか１項に記載のアニオン性高分子電解質の使用。
【請求項１５】
０．１〜１０重量％の請求項１〜１３のいずれか１項に記載のアニオン性高分子電解質を含む局所組成物。
【発明の詳細な説明】
【発明の概要】
【０００１】
本発明は新規の増粘剤ならびに化粧品および調剤でのその使用に関する。
【０００２】
化粧品産業および製薬産業はクリーム、エマルションおよび種々の局所用溶液の粘度を高めるための合成ポリマー増粘剤をかなり定期的に使用する。これらの分野で現在使用されている合成ポリマー増粘剤は２つの物理的形態、粉末状と、ポリマーが逆相乳化重合によって界面活性剤を用いて調製され、一般に逆相ラテックスと呼ばれる液状とにある。
【０００３】
最も知られている粉末状のポリマー増粘剤はアクリル酸をベースにしたポリマーまたはアクリル酸およびアクリル酸エステルをベースにしたポリマーである。我々はたとえば企業Noveonによって商標CARBOPOL（登録商標）およびPEMULEN（登録商標）のもとで販売されているポリマーを挙げることができる。それらは特に米国特許US 5,373,044、US 2,798,053および欧州特許EP 0 301 532に記載されている。化粧品産業では、２−アクリルアミド−２−メチル−プロパンスルフォン酸をベースにしたホモポリマーまたはコポリマーも使用され、これもまた粉末状である。これらのポリマー増粘剤は商標Aristoflex（登録商標）のもとで販売されており特に欧州特許EP 816 403、EP 1 116 733およびEP 1 069 142に記載されている。粉末状のこれらの増粘剤は沈殿重合によって得られ；モノマーを有機溶媒たとえば、ベンゼン、酢酸エチル、シクロヘキサン、三級ブタノールなどに溶解させる。逆相ラテックスの状態の増粘剤および特に出願人によって販売されているそれも化粧品産業で非常に広く使用されている。我々はたとえば増粘剤Sepigel（登録商標） 305、Simulgel（登録商標） 600、Simulgel（登録商標） EG、Simulgel（登録商標） EPG、Simulgel（登録商標） NS、Simulgel（登録商標） A、Sepiplus（登録商標） 400、Sepiplus（登録商標） 250およびSepiplus（登録商標） 265を挙げることができる。これらの増粘剤は逆相乳化重合によって得られる。それらは取扱いが容易であるという利点を有し、水中で非常にすばやく分散する。さらに、これらの製品は著しく高い増粘性能を発揮する；この性能はおそらくそれらの調製方法、非常に高い分子量を有するポリマーをもたらす分散相重合反応の結果生じる。
【０００４】
番号WO 2006/002936で公開された国際出願はセメント、プラスター、モルタル、水性塗料および水性バインダをベースにした他の組成物用の保水剤、安定剤およびレオロジー改良剤として使用される水溶性コポリマーを開示している。これらのコポリマーはスルフォン酸機能を有するモノマーと、アミン機能を有するモノマーと、ポリエトキシル化アルキルアクリラート（メタクリラート）に由来するモノマーとから得られる。この国際出願は、より詳細には、部分的に塩化されたまたは完全に塩化された２−メチル２−［（１−オキソ２−プロペニル）アミノ］１−プロパンスルフォン酸、アクリルアミドおよびペンタコサエトキシル化ステアリルメタクリラート（名称PLEX 6877-O（登録商標）のもとで販売されているモノマー）のターポリマーを開示している。
【０００５】
しかしながら、逆相ラテックス状のこれらの増粘剤はオイルおよび１種以上の界面活性剤を含有しており、ときおり皮膚不耐性の反応を特に敏感なヒトに引き起こしうる；さらに、オイルの前記存在はそれらを透明ゲルの調製のための使用に適さないものにする。
【０００６】
それゆえに、発明者らは、第2 910 899号で公開された仏国特許出願に記載されたそれに似た増粘剤系を開発した。先の出願は、強酸機能を有し、フリーな、部分的に塩化されたまたは完全に塩化された少なくとも１種のモノマーの、少なくとも１種の中性モノマー、および式（Ａ）の少なくとも１種のモノマーとの線状、分枝または架橋ターポリマーを開示している。
【化１】
2013504645.tif 000003
【０００７】
（Ａ）において、Ｒ１は水素原子またはメチル基を表しており、Ｒは８個〜３０個の炭素原子を有する線状または分枝のアルキル基を表しており、ｎは１以上５０以下の数を表している。これらのポリマーは、特に電解質の存在下では、非常に著しい増粘性を示す。それらは広い範囲のｐＨにわたって機能し透明ゲルを作るのに使用することができる。しかしながら、それらのうちのいくつかによって増粘された低ｐＨ組成物は塩に対しての十分な長期耐性を有しておらず、脂肪族アルコールを含有するそれらのうちのいくつかはあまり魅力のない弾性体外観を有していて触れるとねばつく感じをもたらすおよび／または粒状で不連続であるクリームまたはエマルションの外観を有する。
【０００８】
出願人はこれらの欠点が、これらのターポリマーのうち第2 910 899号で公開された仏国特許出願に開示されなかったいくつかを選択することによって避けることができることを証明した。
【０００９】
それは、本発明の第１の態様によると、強酸機能を有し、部分的に塩化されたまたは完全に塩化された少なくとも１種のモノマーの、少なくとも１種の中性モノマー、および式（Ｉ）の少なくとも１種のモノマーとのある架橋剤の存在下での重合の結果から得られる分枝または架橋されたアニオン性高分子電解質に関する。
【化２】
2013504645.tif 000004
【００１０】
ここで、Ｒは８個から２０個までの炭素原子を有する線状または分枝のアルキル基を表しており、ｎは１以上２０以下の数を表している。
【００１１】
「分枝ポリマー」は側鎖を有する非線状のポリマーであって、このポリマーを水に溶解させた際、非常に高い粘性をもたらす高い絡み合い度が低い速度勾配で得られるようなポリマーを示している。「架橋されたポリマー」は非線状ポリマーであって、三次元ネットワークの状態にあり、水に不溶であるが水中で膨潤可能であり、そのため化学ゲルの生成をもたらすポリマーを示す。本発明による組成物は架橋ユニットおよび／または分枝ユニットを含むことができる。
【００１２】
もう１つの特定の実施形態によると、アニオン性高分子電解質は、用いられるモノマーに対して相対的に表すと、０．００５％から１％まで、より詳細には０．０１％から０．５％までおよびかなり詳細には０．０１％から０．２５％までのモル割合のジエチレンまたはポリエチレン化合物によって架橋および／または分枝されている。
【００１３】
架橋剤および／または分枝剤はより詳細にはエチレングリコールジメタクリラート、テトラアリルオキシエタン、エチレングリコールジアクリラート、ジアリル尿素、トリアリルアミン、トリメチロールプロパントリアクリラートまたはメチレン−ビス（アクリルアミド）またはその化合物の混合物から選択される。
【００１４】
それを有するモノマーの強酸機能は特にスルフォン酸機能である。本発明の範囲内において、上で定義したアニオン性高分子電解質は、強酸機能を有する、一般に５ｍｏｌ．％〜９５ｍｏｌ．％、より詳細には１０ｍｏｌ．％〜９０ｍｏｌ．％およびかなり詳細には２０ｍｏｌ．％〜８０ｍｏｌ．％のモノマーを含む。
【００１５】
特定の態様によると、本発明は上で定義したアニオン性高分子電解質であって、強酸機能を有するモノマーが部分的に塩化されたまたは完全に塩化された２−メチル２［（１−オキソ２−プロペニル）アミノ］１−プロパンスルフォン酸であるアニオン性高分子電解質に関する。
【００１６】
本発明の範囲内において、強酸機能は、アルカリ金属塩たとえばナトリウム塩もしくはカリウム塩としてまたはアンモニウム塩として部分的にまたは完全に塩化されている。
【００１７】
もう１つの特定の態様によると、本発明は上で定義したアニオン性高分子電解質であって、強酸機能を有するモノマーが、アンモニウム塩の形態で部分的にまたは完全に塩化された２−メチル２［（１−オキソ２−プロペニル）アミノ］１−プロパンスルフォン酸であるアニオン性高分子電解質に関する。
【００１８】
本発明の範囲内において、上で定義したアニオン性高分子電解質はより詳細には４．９ｍｏｌ．％〜９０ｍｏｌ．％、より詳細には９．５ｍｏｌ．％〜８５ｍｏｌ．％およびかなり詳細には１５ｍｏｌ．％〜７５ｍｏｌ．％の中性モノマーを含む。
【００１９】
特定の実施形態によると、本発明は上で定義したアニオン性高分子電解質であって、中性モノマーがアクリルアミド、（２−ヒドロキシ−エチル）アクリラートまたはＮ,Ｎ−ジメチルアクリルアミドより選択されるアニオン性高分子電解質に関する。
【００２０】
より特定の実施形態によると、本発明は上で定義したアニオン性高分子電解質であって、中性モノマーがＮ,Ｎ−ジメチルアクリルアミドであるアニオン性高分子電解質に関する。
【００２１】
もう１つのより詳細な実施形態によると、本発明は上で定義したアニオン性高分子電解質であって、中性モノマーがアクリルアミドであるアニオン性高分子電解質に関する。
【００２２】
もう１つのより詳細な実施形態によると、本発明は上で定義したアニオン性高分子電解質であって、中性モノマーが（２−ヒドロキシ−エチル）アクリラートであるアニオン性高分子電解質に関する。
【００２３】
上で定義した式（Ｉ）において、「８個から２０個までの炭素原子を有する線状または分枝のアルキル基」はより詳細にはＲについて以下のいずれかを示す：
線状の一級アルコールに由来する基、たとえばオクチル基、デシル基、ウンデシル基、ドデシル基、トリデシル基、テトラデシル基、ペンタデシル基、ヘキサデシル基、ヘプタデシル基、オクタデシル基、ノナデシル基、もしくはエイコシル基；
または以下の一般式に対応する分枝の１−アルカノールであるゲルベアルコール：
ＣＨ3−（ＣＨ2）p−ＣＨ［ＣＨ3−（ＣＨ2）p-2］−ＣＨ2ＯＨ
（ここで、ｐは２〜９の整数を表している）に由来する基、たとえば２−エチルヘキシル基、２−プロピルヘプチル基、２−ブチルオクチル基、２−ペンチルノニル基、２−ヘキシルデシル基または２−オクチルドデシル基；
または以下の一般式に対応するイソアルカノール
ＣＨ3−ＣＨ（ＣＨ3）−（ＣＨ2）m−ＣＨ2ＯＨ
（ここで、ｍは２〜１６の整数を表す）に由来する基、たとえば、４−メチルペンチル基、５−メチルヘキシル基、６−メチルヘプチル基、１５−メチルペンタデシル基もしくは１６−メチルヘプタデシル基、または２−ヘキシルオクチル基、２−オクチルデシル基もしくは２−ヘキシルドデシル基。
【００２４】
特定の実施形態によると、本発明は上で定義したアニオン性高分子電解質であって、式（Ｉ）において、Ｒが１２個から１８個までの炭素原子を有するアルキル基を表しているアニオン性高分子電解質に関する。
【００２５】
もう１つの特定の実施形態によると、本発明は上で定義したアニオン性高分子電解質であって、式（Ｉ）に関して、ｎが３〜２０の整数を表しているアニオン性高分子電解質に関する。
【００２６】
かなり特定の実施形態によると、本発明は上で定義したアニオン性高分子電解質であって、式（Ｉ）のモノマーが、基Ｒがドデシル基を表しておりｎが４に等しい式（Ｉ）の化合物に対応するテトラエトキシル化ラウリルメタクリラートであるアニオン性高分子電解質に関する。
【００２７】
かなり特定の実施形態によると、本発明は上で定義したアニオン性高分子電解質であって、モノマーが、基Ｒがオクタデシル基を表しておりｎが２０に等しい式（Ｉ）の化合物に対応するエイコサエトキシル化ステアリルメタクリラートであるアニオン性高分子電解質に関する。
【００２８】
本発明の範囲内において、上で定義したアニオン性高分子電解質は、０．１ｍｏｌ．％〜１０ｍｏｌ．％およびより詳細には０．５ｍｏｌ．％〜５ｍｏｌ．％の式（Ｉ）のモノマーを含む。
【００２９】
本発明による高分子電解質は種々の添加剤、たとえば錯化剤、連鎖移動剤または連鎖抑制剤などをさらに含むことができる。
【００３０】
本発明はより詳細には以下のポリマーより選択されるアニオン性高分子電解質に関する：
−アンモニウム塩の状態で完全に塩化された２−メチル２−［（１−オキソ２−プロペニル）アミノ］１−プロパンスルフォン酸と、アクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、アクリルアミドと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、エイコサエトキシル化ステアリルメタクリラートとの、トリメチロールプロパントリアクリラートで架橋されたターポリマー。
【００３１】
もう１つの特定の態様によると、本発明は上で定義した架橋されたアニオン性高分子電解質であって、使用するモノマーを１００％として：
−２０ｍｏｌ．％から８０ｍｏｌ．％までの、強酸機能を有するモノマーに由来するモノマー単位；
−１５ｍｏｌ．％から７５ｍｏｌ．％までの、中性モノマーに由来するモノマー単位；
−０．５％から５ｍｏｌ．％までの、上で定義した式（Ｉ）のモノマーに由来するモノマー単位
を含むアニオン性高分子電解質に関する。
【００３２】
もう１つのより特定の態様によると、本発明は上で定義した架橋されたアニオン性高分子電解質であって、使用するモノマーを１００％として：
−５５ｍｏｌ．％から８０ｍｏｌ．％までの、強酸機能を有するモノマーに由来するモノマー単位；
−１５ｍｏｌ．％から４０ｍｏｌ．％までの、中性モノマーに由来するモノマー単位；
−１％から５ｍｏｌ．％までの、上で定義した式（Ｉ）のモノマーに由来するモノマー単位
を含むアニオン性高分子電解質に関する。
【００３３】
また、本発明は上で定義した高分子電解質の調製方法であって：
ａ）−モノマー、架橋剤および／または他の添加剤の全てを有機溶媒、好ましくは三級ブタノール中で混合し、
ｂ）−遊離基開始剤を工程ａ）で調製した分散液に導入することによって重合反応を開始させ、その後それが生じている状態にしておき、
ｃ）重合が終わったら、析出物を溶媒の蒸発または濾過によって集め、次に
ｄ）析出物を乾燥させる
ことを特徴とする方法に関する。
【００３４】
上で定義した方法の好ましい実施によると、重合反応を、５０℃以上の温度で、ホモリシスによりラジカルを生じさせるラジカル開始剤、たとえば過酸化ジラウロイル、アゾ−ビス−イソブチロニトリルまたはアゾ誘導体を用いて開始させる。
【００３５】
上で定義した方法のもう１つの実施によると、重合反応を酸化還元対によって２０℃以下の温度で開始させる。
【００３６】
また、本発明は、化粧品用、皮膚医薬用または医薬用の局所組成物の増粘剤および／または安定剤および／または乳化剤としての、上で定義したアニオン性高分子電解質の使用に関する。
【００３７】
ヒトまたは動物の皮膚または粘膜に塗布することを目的とした本発明による局所組成物は、少なくとも１つの水性相と少なくとも１つの油性相とを含む局所エマルション含みうる。この局所エマルションは、オイルインウォーター（Ｏ／Ｗ）型、ウォーターインオイル（Ｗ／Ｏ）型、オイルインウォーターインオイル（Ｏ／Ｗ／Ｏ）型またはウォーターインオイルインウォーター（Ｗ／Ｏ／Ｗ）型でありうる。局所エマルションの油性相は１種以上のオイルの混合物を含みうる。
【００３８】
本発明による局所組成物は、化粧品用途を目的としうる、または皮膚、頭皮および粘膜の疾患を治療することを目的とした医薬品を調製するのに使用されうる。そのため、最後に述べた場合では、局所組成物は、抗炎症剤、筋弛緩剤、抗かび剤、抗菌剤またはふけ防止剤をたとえば含みうる有効成分を含みうる。
【００３９】
局所組成物を皮膚、頭皮または粘膜に塗布することを目的とした化粧用組成物として使用する場合、活性成分、たとえば水和剤、タンニング剤、サンフィルタ、しわ防止剤、痩身を目的とした剤、抗ラジカル剤、にきび防止剤、抗かび剤またはふけ防止剤を含んでもよいしまたは含まなくてもよい。
【００４０】
最後に、本発明は、本発明による局所組成物に関し、これは通常０．１％〜１０重量％およびより詳細には１から５重量％までの上で定義したアニオン性高分子電解質を含む。局所組成物のｐＨは好ましくは３以上である。
【００４１】
この局所組成物はこのタイプの組成物に通常含まれる化合物、たとえば香料、保存剤、染料、顔料、日焼け止め剤、活性成分、エモリエント剤または界面活性剤をさらに含むことができる。
【００４２】
もう１つの特定の態様によると、本発明は、少なくとも１つの水性相を含む局所組成物を増粘し、乳化させ、安定にするための、上で定義したアニオン性高分子電解質の使用に関する。
【００４３】
本発明によるアニオン性高分子電解質は、名称SEPIGEL（登録商標） 305、SEPIGEL（登録商標） 501、SIMULGEL（登録商標） EG、SIMULGEL（登録商標） EPG、SIMULGEL（登録商標） NS、SIMULGEL（登録商標） 600、SIMULGEL（登録商標） A、SEPIPLUS（登録商標） 265、SEPIPLUS（登録商標） 250、SEPIPLUS（登録商標） 400またはSEPINOV（登録商標） EMT 10で出願人によって販売されている逆相ラテックスの興味深い代用品である。なぜなら、それも調合物たとえば乳液、ローション、クリーム、石鹸、浴用製品、バルム（balsams）、シャンプーまたはコンディショナーを調製するために使用する他の賦形剤との優れた適合性を示すからである。また、それは前記SEPIGEL（登録商標）またはSIMULGEL（登録商標）、SEPIPLUS（登録商標）および／またはSEPINOV（登録商標） EMT 10と共に使用することもできる。
【００４４】
特に、それは国際出願WO 92/06778、WO 95/04592、WO 95/13863、WO 96/37285、WO 98/22207、WO 98/47610またはFR 2 734 496に記載され特許請求された濃縮物と、WO 93/08204に記載された界面活性剤とに適合可能である。それはMONTANOV（登録商標） 68、MONTANOV（登録商標） 82、MONTANOV（登録商標） 202、MONTANOV（登録商標） L、MONTANOV（登録商標） S、FLUIDANOV（登録商標） 20XまたはEASYNOV（登録商標）に特に適合可能である。また、それはたとえばEP 0 629 396に記載され特許請求されたそれなどのタイプのエマルションでも、ならびに、外見上および生理学的に許容される、たとえばWO 93/05762またはWO 93/21316に記載されているそれから選択される有機ポリシロキサン化合物を有する水性分散剤でも使用できる。
【００４５】
また、それは、外見上および生理学的に許容される酸性ｐＨを有する水性ゲル、たとえばWO 93/07856に記載されたそれなどを形成するのにも使用できる；また、それは、非イオン性セルロースとともに、たとえばEP 0 684 024に記載されたそれなどの整髪用ジェルを作るのに、脂肪酸と糖とのエステルとともに、たとえばEP 0 603 019に記載されたそれなどの毛髪または皮膚を治療するための組成物を作るのに、またはWO 92/21316に記載され特許請求されたシャンプーまたはコンディショナーにおいて、または最後にアニオン性ホモポリマーたとえばCARBOPOL（登録商標）とともに、ヘアトリートメント製品たとえばDE 19523596に記載されたそれを作るのにも使用できる。
【００４６】
また、それはアミノ酸のＮ−アシル化誘導体とも適合可能であり、これはそれを特に敏感肌用の鎮痛組成物、たとえばWO 92/21318、WO 94/27561またはWO 98/09611に記載されたまたは特許請求されたそれで使用できることを意味している。また、それは増粘および／またはゲル化ポリマー，たとえば植物起源または生合成の親水コロイド、たとえばキサンタンゴム、カラヤゴム、カラギナート、アルギナート、ガラクトマンナン；たとえばシリケート；たとえばセルロースおよびその誘導体；たとえばでんぷんおよびその親水性誘導体；たとえばポリウレタン，にも適合可能である。
【００４７】
Ａ）高分子電解質の調製：
例１（本発明に従う）：２−メチル２−［（１−オキソ２−プロペニル）アミノ］１−プロパンスルフォン酸アンモニウムと、Ｎ,Ｎ−ジメチルアクリルアミドと、テトラエトキル化ラウリルメタクリラートとの、トリメチロールプロパントリアクリラート（ＴＭＰＴＡ）で架橋されたターポリマー［ＡＭＰＳ／ＤＭＡＭ／ＭＡＬ（４ＯＥ）  ７７．４／１９．２／３．４のモル濃度］。  
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸アンモニウムの５９２ｇの１５重量％水性溶液と、１０．１ｇのＮ,Ｎ−ジメチルアクリルアミドと、４．２ｇのテトラエトキシル化ラウリルメタクリラートと、０．７５ｇのトリメチロールプロパントリアクリラートとを入れる。溶液の十分な均質化を達成するのに十分な時間が経ったのち、後者を７０℃に加熱した窒素でバブリングすることによって脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質１と呼ぶ。
【００４８】
例２（本発明に従う）：２−メチル２−［（１−オキソ２−プロペニル）アミノ］１−プロパンスルフォン酸アンモニウムと、Ｎ,Ｎ−ジメチルアクリルアミドと、エイコサエトキシル化ステアリルメタクリラートとの、トリメチロールプロパントリアクリラート（ＴＭＰＴＡ）で架橋されたターポリマー［ＡＭＰＳ／ＤＭＡＭ／ＭＡＳ（２０ＯＥ）  ７９．３／１９．７／１のモル濃度］。  
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸アンモニウムの５９２ｇの１５重量％水性溶液と、１０．１ｇのＮ,Ｎ−ジメチルアクリルアミドと、６．２ｇのエイコサエトキシル化ステアリルメタクリラートと、０．７５ｇのトリメチロールプロパントリアクリラートとを入れる。溶液の十分な均質化を達成するのに十分な時間が経ったのち、後者を７０℃に加熱した窒素でバブリングすることによって脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質２と呼ぶ。
【００４９】
例３（本発明に従う）：２−メチル２−［（１−オキソ２−プロペニル）アミノ］１−プロパンスルフォン酸アンモニウムと、２−ヒドロキシ−エチルアクリラートと、テトラエトキシル化ラウリルメタクリラートとの、トリメチロールプロパントリアクリラート（ＴＭＰＴＡ）で架橋されたターポリマー［（ＡＭＰＳ／ＨＥＡ／ＭＡＬ（４ＯＥ）  ６８．７／２９．５／１．８のモル濃度］
２５℃に維持したリアクタに、撹拌しながら、三級ブタノール／水混合物（体積で９７．５／２．５）中の５９２ｇの２−メチル２−［（１−オキソ２−プロペニル）アミノ］１−プロパンスルフォン酸のアンモニウム塩の５９２ｇの１４％溶液と、１８．５ｇのヒドロキシ−エチルアクリラートと、４．２ｇのテトラエトキシル化ラウリルメタクリラートと、０．７５ｇのトリメチロールプロパントリアクリラートとを入れる。溶液の十分な均質化を達成するのに十分な時間が経ったのち、後者を７０℃に加熱した窒素でバブリングすることによって脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質３と呼ぶ。
【００５０】
例４（本発明に従う）：２−メチル２−［（１−オキソ２−プロペニル）アミノ］１−プロパンスルフォン酸アンモニウムと、アクリルアミドと、テトラエトキシル化ラウリルメタクリラートとの、トリメチロールプロパントリアクリラート（ＴＭＰＴＡ）で架橋されたターポリマー［ＡＭＰＳ／ＡＭ／ＭＡＬ（４ＯＥ）  ６１．２／３７．２／１．６のモル濃度］
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸のアンモニウム塩の５９２ｇの１４％溶液と、１６ｇのアクリルアミド結晶と、４．２ｇのテトラエトキシル化ラウリルメタクリラートと、０．７５ｇのトリメチロールプロパントリアクリラートとを入れる。溶液の十分な均質化を達成するのに十分な時間が経ったのち、後者を７０℃に加熱した窒素でバブリングすることによって脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質４と呼ぶ。
【００５１】
例Ｔ１（従来技術に従う）：２−メチル２−［（１−オキソ２−プロペニル）アミノ］１−プロパンスルフォン酸アンモニウムと、Ｎ,Ｎ−ジメチルアクリルアミドと、テトラエトキシル化ラウリルアクリラートとの、トリメチロールプロパントリアクリラート（ＴＭＰＴＡ）で架橋されたターポリマー［ＡＭＰＳ／ＤＭＡＭ／ＡＬ（４ＯＥ）  ７７．４／１９．２／３．４］
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸のアンモニウム塩の５９２ｇの１５．５％溶液と、１０．１ｇのＮ,Ｎ−ジメチルアクリルアミドと、４．１ｇのテトラエトキシル化ラウリルアクリラートと、０．７５ｇのトリメチロールプロパントリアクリラートとを入れる。
【００５２】
溶液の十分な均質化を達成するのに十分な時間が経ったのち、それを窒素でのバブリングで脱酸素し、次に反応混合物の温度を７０℃まで高める。所望の温度に達したら、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質Ｔ１と呼ぶ。
【００５３】
例Ｔ２（従来技術に従う）：２−メチル２−［（１−オキソ２−プロペニル）アミノ］１−プロパンスルフォン酸アンモニウムと、Ｎ,Ｎ−ジメチルアクリルアミドと、エイコサエトキシル化ステアリルアクリラートとの、トリメチロールプロパントリアクリラートで架橋されたターポリマー［ＡＭＰＳ／ＤＭＡＭ／ＡＳ（２０ＯＥ）  ７９．３／１９．７／１のモル濃度］
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸のアンモニウム塩の５９２ｇの１５．５％溶液と、１０．１ｇのＮ,Ｎ−ジメチルアクリルアミドと、６．１ｇのエイコサエトキシル化ステアリルメタクリラートと、０．５ｇのトリメチロールプロパントリアクリラートとを入れる。溶液の十分な均質化を達成するのに十分な時間が経ったのち、後者を７０℃まで加熱した窒素でのバブリングで脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質Ｔ２と呼ぶ。
【００５４】
例Ｔ３（従来技術に従う）：２−メチル２−［（１−オキソ２−プロペニル）アミノ］１−プロパンスルフォン酸アンモニウムと、Ｎ,Ｎ−ジメチルアクリルアミドと、ペンタコサエトキシル化ベヘニルメタクリラートとの、トリメチロールプロパントリアクリラートで架橋されたターポリマー［ＡＭＰＳ／ＤＭＡＭ／ＭＡＢ（２５ＯＥ）、７９．３／１９．７／１のモル濃度］
２５℃に維持したリアクタに、撹拌しながら、三級ブタノール／水混合物（体積で９７．５／２．５）中の２−メチル２−［（１−オキソ２−プロペニル）アミノ］１−プロパンスルフォン酸のアンモニウム塩の５９２ｇの１５．５％溶液と、１０．１ｇのＮ,Ｎ−ジメチルアクリルアミドと、７．７ｇのペンタコサエトキシル化ベヘニルメタクリラート（１５００＝ＭＷ）と、０．７５ｇのトリメチロールプロパントリアクリラートとを入れる。溶液の十分な均質化を達成するのに十分な時間が経ったのち、後者を７０℃まで加熱した窒素でのバブリングで脱酸素する。次に、０．４２ｇの過酸化ジラウロイルを添加し、その後、反応混合物を７０℃に約６０分間保持し、次に８０℃に２時間保持する。冷却後、重合中に生じた粉末を濾過して乾燥させて、所望の生成物を得る。これを以下：高分子電解質Ｔ３と呼ぶ。
【００５５】
Ｂ）比較調査
本発明による増粘剤および従来技術によるそれを以下のように評価した：
ａ）−粘度の測定（η）：
−水中、２重量％での粘度、
−ｐＨ３．５の水中、２重量％での粘度、
−ならびにｐＨ３．５および２％の塩化ナトリウムを含む水中、２重量％での粘度。  
ｍＰａｓで表す粘度のこれらの測定は、２５℃で、第６スピンドルを備えかつ毎分５回転（ｒｐｍ）の回転速度に設定したＲＶＴ型のブルックフィールドレオメーターを使用して行った。ｐＨはグリコール酸および必要に応じてソーダを添加することによって３．５に調節した。測定は調製直後Ｔ＝０と、Ｔ＝１ヶ月（Ｍ１）と、次にＴ＝３ヶ月（Ｍ３）とに行った。
【００５６】
ｂ）−高分子電解質１、２、３、４、Ｔ１、Ｔ２およびＴ３の各々で増粘した以下の組成の評価用の塗布調合物を調製した：
グリコール酸：                                                        ４重量％
増粘剤：                                                              ２重量％
イソヘキサデカン：                                                  １５重量％
セチルアルコールとベヘニルアルコールとの混合物：                      ２重量％
SEPICIDE（登録商標）HB：                                          ０．５重量％
ＮａＯＨ：                                                    適量、ｐＨ３．５
水：                                                                      適量
これらの調合物を、外観、知覚特性および調合物の２４時間後の安定性に関して評価する。本発明による高分子電解質および組成物について調べた性質を以下の表に示し、ここではそれらを従来技術による電解質および組成物と比較している。
【表１】
2013504645.tif 000005
【表２】
2013504645.tif 000006
【００５７】
これらの結果から、本発明による高分子電解質は、それらの中の式（Ｉ）のモノマーの存在のおかげで、塩に対してより耐性のある組成物を与えることが証明される。
【００５８】
Ｃ）本発明による電解質１、２、３または４を用いて調製した調合物の例
例５：ケアクリーム（割合は重量百分率で示している）
シクロメチコーン：                                                      １０％
電解質１：                                                            ０．８％
MONTANOV（登録商標） 68：                                                 ２％
ステアリルアルコール：                                                    １％
ステアリックアルコール：                                              ０．５％
防腐剤：                                                            ０．６５％
リシン：                                                          ０．０２５％
ＥＤＴＡ（二ナトリウム塩）：                                        ０．０５％
キサンタンゴム：                                                      ０．２％
グリセロール：                                                            ３％
水：                            合計で１００％になるように適量（q.s.f. 100％）
例６：アフターシェービングバルム
処方
Ａ  電解質２：                                                        １．５％
水：                                  合計で１００％になるように適量
Ｂ  MICROPEARL（登録商標） M 100：                                    ５．０％
SEPICIDE（登録商標） CI：                                       ０．５０％
香料：                                                          ０．２０％
エタノール 95°：                                                   １０．０％
製法
ＢをＡに添加する。
【００５９】
例７：身体用の滑らかなエマルション
処方
Ａ  SIMULSOL（登録商標） 165：                                        ５．０％
LANOL（登録商標） 168  ：                                       ８．５０％
シアバター：                                                          ２％
パラフィンオイル：                                                ６．５％
LANOL（登録商標） 14M：                                               ３％
LANOL（登録商標） S：                                             ０．６％
Ｂ  水：                                                            ６６．２％
Ｃ  MICROPEARL（登録商標） M 100：                                        ５％
Ｄ  電解質３：                                                            ３％
Ｅ  SEPICIDE（登録商標） CI：                                         ０．３％
SEPICIDE（登録商標） HB：                                         ０．５％
AQUAXYL（登録商標）：                                                 ３％
香料：                                                          ０．２０％
ビタミンＥアセタート：                                          ０．２０％
ナトリウムピロリジノカルボキラート：                                  １％
製法
ＣをＢに添加し、ＢをＡ中で７０℃で乳化させ、その後Ｄを６０℃で添加し、その後Ｅを３０℃で添加する。
【００６０】
例８：Ｏ／Ｗクリーム
処方
Ａ  SIMULSOL（登録商標） 165：                                        ５．０％
LANOL（登録商標） 1688：                                        ２０．０％
LANOL（登録商標） P：                                             １．０％
Ｂ  水：                                        合計で１００％になるように適量
Ｃ  電解質４：                                                      ２．５０％
Ｄ  SEPICIDE（登録商標） CI：                                       ０．２０％
SEPICIDE（登録商標） HB：                                       ０．３０％
製法
ＢをＡに約７５℃で添加し；Ｃを約６０℃で添加し、次にＤを約４５℃で添加する。
【００６１】
例９：べたつかないサンジェル
処方
Ａ    電解質４：                                                    ３．００％
水：                                                              ３０％
Ｂ    SEPICIDE（登録商標） CI：                                     ０．２０％
SEPICIDE（登録商標） HB：                                     ０．３０％
香料：                                                        ０．１０％
Ｃ    染料：                                                              適量
水：                                                              ３０％
Ｄ    MICROPEARL（登録商標） M 100：                                ３．００％
水：                                      合計で１００％になるように適量
Ｅ    シリコーンオイル：                                              ２．０％
PARSOL（登録商標） MCX：                                      ５．００％
製法
ＢをＡに添加し；Ｃ、次にＤ、次にＥを添加する。
【００６２】
例１０：サンフィルタ乳液
処方
Ａ    MONTANOV（登録商標） S：                                        ３．０％
ゴマ油：                                                        ５．０％
PARSOL（登録商標） MCX：                                        ５．０％
カラギーナン λ：                                             ０．１０％
Ｂ    水：                                      合計で１００％になるように適量
Ｃ    電解質３：                                                    ０．８０％
Ｄ    香料：                                                              適量
防腐剤：                                                            適量
製法
ＢをＡ中で７５℃で乳化させ、次にＣを約６０℃で添加し、次にＤを約３０℃で添加し、必要に応じてｐＨを調節する。
【００６３】
例１１：マッサージジェル
処方
Ａ    電解質２：                                                      ３．５％
水：                                                          ２０．０％
Ｂ    染料：                                                １００ｇあたり２滴
水：                                                                適量
Ｃ    エタノール：                                                      １０％
メタノール：                                                  ０．１０％
Ｄ    シリコーンオイル：                                              ５．０％
製法
ＢをＡに添加し、その後、この混合物にＣ、次にＤを添加する。
【００６４】
例１２：保湿および艶消しファンデーション
Ａ    水：                                                          ２０．０％
ブチレングリコール：                                            ４．０％
PEG-400：                                                       ４．０％
PECOSIL（登録商標） PS100：                                     １．０％
水酸化ナトリウム：                                        適量  ｐＨ＝９
二酸化チタン：                                                  ７．０％
タルク：                                                        ２．０％
鉄黄：                                                          ０．８％
弁柄：                                                          ０．３％
黒色酸化鉄：                                                  ０．０５％
Ｂ    LANOL（登録商標） 99：                                              ８％
カプリリックカプリックトリグリセリド：                              ８％
MONTANOV（登録商標） 202：                                    ５．００％
Ｃ    水：                                      合計で１００％になるように適量
MICROPEARL（登録商標） M305：                                   ２．０％
ＥＤＴＡ四ナトリウム：                                        ０．０５％
Ｄ    シクロメチコーン：                                              ４．０％
キサンタンゴム：                                                ０．２％
電解質１：                                                      ０．８％
Ｅ    SEPICIDE（登録商標） HB ：                                      ０．５％
SEPICIDE CI：                                                   ０．３％
香料：                                                          ０．２％
製法
混合物Ｂ＋Ｄおよび混合物Ａ＋Ｃを８０℃で調製し、つぎに混ぜ合わせて互いに乳化させる。
【００６５】
例１３：グラマージェル
処方
Ａ    電解質１：                                                          ４％
水：                                                              ３０％
Ｂ    ELASTIN HPM：                                                   ５．０％
Ｃ    MICROPEARL（登録商標） M 100：                                      ３％
水：                                                                ５％
Ｄ    SEPICIDE（登録商標） CI：                                       ０．２％
SEPICIDE（登録商標） HB：                                       ０．３％
香料：                                                        ０．０６％
ナトリウムピロリジノカルボキラート５０％：                          １％
水：                                      合計で１００％になるように適量
製法
Ａを調製し；Ｂ、次にＣ、次にＤを添加する。
【００６６】
例１４：ボディーミルク
MONTANOV（登録商標） S：                                              ３．５％
LANOL（登録商標） 37T ：                                              ８．０％
SOLAGUM（登録商標） L：                                             ０．０５％
水：                                            合計で１００％になるように適量
ベンゾフェノン−３：                                                  ２．０％
ジメチコーン ３５０ｃＰｓ：                                         ０．０５％
電解質３：                                                            ０．８％
防腐剤：                                                              ０．２％
香料：                                                                ０．４％
【００６７】
例１５：甘扁桃油を有するメイク落としエマルション
MONTANOV（登録商標） 68：                                                 ５％
甘扁桃油：                                                                ５％
水：                                            合計で１００％になるように適量
電解質３：                                                            ０．３％
グリセロール：                                                            ５％
防腐剤：                                                              ０．２％
香料：                                                                ０．３％
【００６８】
例１６：脂ぎった肌用の保湿クリーム
MONTANOV（登録商標） 68：                                                 ５％
セチルステアリルオクタノアート：                                          ８％
オクチルパルミタート：                                                    ２％
水：                                            合計で１００％になるように適量
電解質１：                                                            ０．６％
MICROPEARL（登録商標） M100：                                         ３．０％
ムコ多糖：                                                                ５％
SEPICIDE（登録商標） HB：                                             ０．８％
香料：                                                                ０．３％
【００６９】
例１７：アルコールを含まない、鎮痛アフターシェービングバルム
LIPACIDE（登録商標） PVB：                                            １．０％
LANOL（登録商標） 99：                                                ２．０％
甘扁桃油：                                                            ０．５％
電解質１：                                                            ３．５％
水：                                            合計で１００％になるように適量
香料：                                                                ０．４％
SEPICIDE（登録商標） HB：                                             ０．４％
SEPICIDE（登録商標） CI：                                             ０．２％
【００７０】
例１８：ＡＨＡを有する敏感肌用のクリーム
Ｎ−ラウロイルアミノ酸の混合物：                                ０．１％〜５％
アスパラギン酸マグネシウム及びアスパラギン酸カリウム：  ０．００２％〜０．５％
LANOL（登録商標） 99：                                                    ２％
MONTANOV（登録商標） 68：                                             ５．０％
水：                                            合計で１００％になるように適量
電解質４：                                                          １．５０％
グルコン酸：                                                        １．５０％
トリエタノールアミン（ＴＥＡ）：                                      ０．９％
SEPICIDE（登録商標） HB：                                             ０．３％
SEPICIDE（登録商標） CI：                                             ０．２％
香料：                                                                ０．４％
【００７１】
例１９：鎮痛アフターサンケア
Ｎ−ラウロイルアミノ酸の混合物：                                ０．１％〜５％
アスパラギン酸マグネシウム及びアスパラギン酸カリウム：  ０．００２％〜０．５％
LANOL（登録商標） 99：                                              １０．０％
水：                                            合計で１００％になるように適量
電解質１：                                                          ２．５０％
SEPICIDE（登録商標） HB：                                             ０．３％
SEPICIDE（登録商標） CI：                                             ０．２％
香料：                                                                ０．４％
染料：                                                              ０．０３％
【００７２】
例２０：メイク落とし用乳液
MONTANOV（登録商標） S：                                                  ３％
PRIMOL（登録商標） 352：                                              ８．０％
甘扁桃油：                                                                ２％
水：                                            合計で１００％になるように適量
電解質２：                                                            ０．８％
防腐剤：                                                              ０．２％
【００７３】
例２１：流動性のある、アルカリｐＨにあるエマルション
MARCOL（登録商標） 82：                                               ５．０％
水酸化ナトリウム：                                                  １０．０％
水：                                            合計で１００％になるように適量
電解質３：                                                            １．５％
【００７４】
例２２：流動性のあるファンデーション
SIMULSOL（登録商標） 165：                                            ５．０％
LANOL（登録商標） 84D：                                               ８．０％
LANOL（登録商標） 99：                                                ５．０％
水：                                            合計で１００％になるように適量
顔料および無機充填剤：                                              １０．０％
電解質４：                                                            １．２％
防腐剤：                                                              ０．２％
香料：                                                                ０．４％
【００７５】
例２３：サンフィルタ乳液
MONTANOV（登録商標） S：                                              ３．５％
LANOL（登録商標） 37T：                                             １０．０％
PARSOL（登録商標） MCX：                                              ５．０％
EUSOLEX（登録商標） 4360：                                            ２．０％
水：                                            合計で１００％になるように適量
電解質３：                                                            １．８％
防腐剤：                                                              ０．２％
香料：                                                                ０．４％
【００７６】
例２４：目の周り用（Eye contour）ジェル
電解質２：                                                            ２．０％
香料：                                                              ０．０６％
ナトリウムピロリジノカルボキラート：                                  ０．２％
DOW CORNING（登録商標） 245 流体：                                    ２．０％
水：                                            合計で１００％になるように適量
【００７７】
例２５：洗い流さないケア組成物
電解質２：                                                             １.５％
香料：                                                                    適量
防腐剤：                                                                  適量
DOW CORNING（登録商標） X2 8360：                                     ５．０％
DOW CORNING（登録商標） Q2 1401：                                   １５．０％
水：                                            合計で１００％になるように適量
【００７８】
例２６：痩身用ジェル
電解質４：                                                                ５％
エタノール：                                                            ３０％
メタノール：                                                          ０．１％
カフェイン：                                                          ２．５％
ナギイカダ抽出物：                                                        ２％
アイビー抽出物：                                                          ２％
SEPICIDE（登録商標） HB：                                                 １％
水：                                            合計で１００％になるように適量
【００７９】
例２７：超自然に着色されたクリームジェル
処方
Ａ    水：                                                          １０．０％
ブチレングリコール：                                            ４．０％
PEG-400：                                                       ４．０％
PECOSIL（登録商標） PS100：                                     １．５％
ＮａＯＨ：                                                適量、ｐＨ＝７
二酸化チタン：                                                  ２．０％
鉄黄：                                                          ０．８％
弁柄：                                                          ０．３％
黒色酸化鉄：                                                  ０．０５％
Ｂ    LANOL（登録商標） 99：                                          ４．０％
カプリリックカプリックトリグリセリド：                          ４．０％
SEPIFEEL（登録商標） ONE：                                      １．０％
電解質２：                                                      ３．０％
Ｃ    水：                                      合計で１００％になるように適量
MICROPEARL（登録商標） M305：                                   ２．０％
ＥＤＴＡ四ナトリウム：                                        ０．０５％
シクロメチコーン：                                              ４．０％
Ｄ    SEPICIDE（登録商標） HB：                                       ０．５％
SEPICIDE CI：                                                   ０．３％
香料：                                                          ０．２％
製法
混合物Ｂ＋Ｃを調製し、その後Ａ、次にＤを添加する。
【００８０】
例２８：脂ぎった肌のためのケア
MICROPEARL（登録商標） M310：                                         １．０％
電解質３：                                                            ５．０％
オクチルイソノナノアート：                                            ４．０％
水：                                            合計で１００％になるように適量
SEPICONTROL（登録商標） A5：                                          ４．０％
香料：                                                                ０．１％
SEPICIDE（登録商標） HB：                                             ０．３％
SEPICIDE（登録商標） CI：                                             ０．２％
CAPIGEL（登録商標） 98：                                              ０．５％
水：                                                                    １０％
【００８１】
例２９：ＡＨＡを有するクリーム
MONTANOV（登録商標） 68：                                             ５．０％
LIPACIDE（登録商標） PVB：                                          １．０５％
LANOL（登録商標） 99：                                              １０．０％
水：                                            合計で１００％になるように適量
グルコン酸：                                                          １．５％
ＴＥＡ（トリエタノールアミン）：                                      ０．９％
電解質４：                                                            １．５％
香料：                                                                ０．４％
SEPICIDE（登録商標） HB：                                             ０．２％
SEPICIDE（登録商標） CI：                                             ０．４％
【００８２】
例３０：べたつかない顔および身体用セルフタンニング
LANOL（登録商標） 2681：                                              ３．０％
電解質３：                                                            ２．５％
水：                                            合計で１００％になるように適量
ジヒドロキシアセトン：                                                ３．０％
香料：                                                                ０．２％
SEPICIDE（登録商標） HB：                                             ０．８％
水酸化ナトリウム：                              ：              適量、ｐＨ＝５
【００８３】
例３１：Tahiti monoiを有するサンフィルタ乳液
Tahiti monoi：                                                          １０％
LIPACIDE（登録商標） PVB：                                            ０．５％
電解質１：                                                            ２．２％
水：                                            合計で１００％になるように適量
香料：                                                                ０．１％
SEPICIDE（登録商標） HB：                                             ０．３％
SEPICIDE（登録商標） CI：                                             ０．１％
PARSOL（登録商標） MCX：                                              ４．０％
【００８４】
例３２：顔用のサンケア
シクロメチコーンおよびジメチコノール：                                ４．０％
電解質２：                                                            ３．５％
水：                                            合計で１００％になるように適量
香料：                                                                ０．１％
SEPICIDE（登録商標） HB：                                             ０．３％
SEPICIDE（登録商標） CI：                                           ０．２１％
PARSOL（登録商標） MCX：                                              ５．０％
チタンマイカ：                                                        ２．０％
乳酸：                                                      適量、ｐＨ＝６．５
【００８５】
例３３：セルフタンニングエマルション
LANOL（登録商標） 99：                                                  １５％
MONTANOV（登録商標） 68：                                             ５．０％
PARSOL（登録商標） MCX：                                              ３．０％
水：                                            合計で１００％になるように適量
ジヒドロキシアセトン：                                                ５．０％
リン酸一ナトリウム：                                                  ０．２％
電解質３：                                                            ０．５％
香料：                                                                ０．３％
SEPICIDE（登録商標） HB：                                             ０．８％
水酸化ナトリウム：                                            適量、ｐＨ＝５。
【００８６】
例３４：ケアクリーム
シクロメチコーン：                                                      １０％
電解質４：                                                            ０．８％
MONTANOV（登録商標） 68：                                             ４．５％
防腐剤：                                                            ０．６５％
リシン：                                                          ０．０２５％
ＥＤＴＡ（二ナトリウム塩）：                                        ０．０５％
キサンタンゴム：                                                      ０．２％
グリセロール：                                                            ３％
水：                                                            適量、１００％
【００８７】
例３５： ケアクリーム
シクロメチコーン：                                                      １０％
電解質３：                                                            ０．８％
MONTANOV （登録商標） 68：                                            ４．５％
パーフルオロポリメチルイソプロピルエーテル：                          ０．５％
防腐剤：                                                            ０．６５％
リシン：                                                          ０．０２５％
ＥＤＴＡ（二ナトリウム塩）：                                        ０．０５％
PEMULEN（登録商標） TR1：                                             ０．２％
グリセロール：                                                            ３％
水：                                                            適量、１００％
【００８８】
例３６：ボディーミルク
処方
Ａ    SIMULSOL（登録商標） 165：                                      ５．０％
LANOL（登録商標） 1688：                                      １２．０％
LANOL（登録商標） 14 M：                                        ２．０％
セチルアルコール：                                              ０．３％
SCHERCEMOL（登録商標） OP：                                         ３％
Ｂ    水：                                      合計で１００％になるように適量
Ｃ    電解質２：                                                    ０．３５％
Ｄ    SEPICIDE（登録商標） CI：                                       ０．２％
SEPICIDE（登録商標） HB：                                       ０．５％
香料：                                                        ０．２０％
製法
ＢをＡ中で約７５℃で乳化させ；Ｃを約６０℃で、次にＤを約３０℃で添加する。
【００８９】
例３７：マッサージケアジェル
処方
Ａ    電解質１：                                                    ３．００％
水：                                                              ３０％
Ｂ    SEPICIDE（登録商標） CI：                                     ０．２０％
SEPICIDE（登録商標） HB：                                     ０．３０％
香料：                                                        ０．０５％
Ｃ    染料：                                                              適量
水：                                      合計で１００％になるように適量
Ｄ    MICROPEARL（登録商標） SQL：                                    ５．０％
LANOL（登録商標） 1688：                                            ２％
製法
Ａを調製し；Ｂ、次にＣ、次にＤを添加する。
【００９０】
例３８：ボディーミルク
処方
Ａ    MONTANOV（登録商標） S：                                        ３．０％
グリセロールトリヘプトナート：                                １０．０％
Ｂ    水：                                      合計で１００％になるように適量
Ｃ    電解質１：                                                      １．０％
Ｄ    香料：                                                              適量
防腐剤：                                                            適量
製法
Ａを約７５℃で溶融させる。ＢをＡ中で７５℃で乳化させ、その後、Ｃを約６０℃で添加し、次にＤを添加する。
【００９１】
例３９：アルコールを含まない、鎮痛アフターシェービングバルム
ラウロイルアミノ酸の混合物：                                    ０．１％〜５％
アスパラギン酸マグネシウムおよびアスパラギン酸カリウム：０．００２％〜０．５％
LANOL（登録商標） 99：                                                    ２％
甘扁桃油：                                                            ０．５％
水：                                            合計で１００％になるように適量
電解質３：                                                                ３％
SEPICIDE（登録商標） HB：                                             ０．３％
SEPICIDE（登録商標） CI：                                             ０．２％
香料：                                                                ０．４％
【００９２】
例４０：ボディーミルク
MONTANOV（登録商標） S：                                              ３．５％
LANOL（登録商標） 37T：                                               ８．０％
SOLAGUM（登録商標） L：                                             ０．０５％
水：                                                           q.s.f. １００％
ベンゾフェノン−３：                                                  ２．０％
ジメチコーン ３５０ ｃＰｓ：                                        ０．０５％
電解質３：                                                            ０．８％
防腐剤：                                                              ０．２％
香料：                                                                ０．４％
【００９３】
例４１：アルコールを含まない、鎮痛アフターシェービングバルム
LIPACIDE（登録商標） PVB：                                            １．０％
LANOL（登録商標） 99：                                                ２．０％
甘扁桃油：                                                            ０．５％
電解質１：                                                            ３．５％
水：                                                           q.s.f. １００％
香料：                                                                ０．４％
SEPICIDE（登録商標） HB：                                             ０．４％
SEPICIDE（登録商標） CI：                                             ０．２％
【００９４】
例４２：リフレッシュ用アフターシェービングジェル
LIPACIDE（登録商標） PVB：                                            ０．５％
LANOL（登録商標） 99：                                                ５．０％
電解質１：                                                            ２．５％
水：                                            合計で１００％になるように適量
MICROPEARL（登録商標） LM：                                           ０．５％
香料：                                                                ０．２％
SEPICIDE（登録商標） HB：                                             ０．３％
SEPICIDE（登録商標） CI：                                             ０．２％
【００９５】
例４３：ＡＨＡを有するクリーム
MONTANOV（登録商標） 68：                                             ５．０％
LIPACIDE（登録商標） PVB：                                          １．０５％
LANOL（登録商標） 99：                                              １０．０％
水：                                            合計で１００％になるように適量
グルコン酸：                                                          １．５％
ＴＥＡ（トリエタノールアミン）：                                      ０．９％
電解質４：                                                            １．５％
香料：                                                                ０．４％
SEPICIDE（登録商標） HB：                                             ０．２％
SEPICIDE（登録商標） CI：                                             ０．４％
【００９６】
例４４：グロスジェル
電解質１：                                                            １．５％
揮発性シリコーン：                                                      ２５％
モノプロピレングリコール：                                              ２５％
脱イオン水：                                                            １０％
グリセロール：                                                   適量 １００％
【００９７】
例４５：痩身用ジェル
電解質２：                                                            １．５％
イソノニルイソノナノアート：                                              ２％
カフェイン：                                                              ５％
エタノール：                                                            ４０％
MICROPEARL（登録商標） LM：                                               ２％
脱イオン水：                                                    適量、１００％
防腐剤、香料：                                                            適量
【００９８】
例４６：メイク落とし用乳液
SIMULSOL（登録商標） 165：                                                ４％
MONTANOV（登録商標） 202：                                                １％
カプリラート−カプラートトリグリセリド：                                １５％
PECOSIL（登録商標） DCT：                                                 １％
脱イオン水：                                                              適量
CAPIGEL（登録商標） 98：                                              ０．５％
電解質３：                                                                １％
PROTEOL（登録商標） APL：                                                 ２％
水酸化ナトリウム：                                              適量、ｐＨ＝７
【００９９】
例４７：ストレスを受けた脆い毛髪用の「洗い流す」再補修クリームマスク
KETROL（登録商標）T：                                                 ０．５％
PECOSIL（登録商標） SPP50：                                         ０．７５％
Ｎ−ココイルアミノ酸：                                              ０．７０％
ブチレングリコール：                                                  ３．０％
電解質４：                                                            ３．０％
MONTANOV（登録商標） 82：                                             ３．０％
ホホバ油：                                                            １．０％
LANOL（登録商標） P：                                                 ６．０％
AMONYL（登録商標） DM：                                               １．０％
LANOL（登録商標） 99：                                                ５．０％
SEPICIDE（登録商標） HB：                                             ０．３％
SEPICIDE（登録商標） CI：                                             ０．２％
香料：                                                                ０．２％
水：                                                             適量 １００％
【０１００】
例４８：日焼け止めクリーム
SIMULSOL（登録商標） 165：                                                ３％
MONTANOV（登録商標） 202：                                                ２％
ベンゾアート C12-C15：                                                    ８％
PECOSIL（登録商標） PS 100：                                              ２％
ジメチコーン：                                                            ２％
シクロメチコーン：                                                        ５％
オクチルパラ−メトキシシンナマート：                                      ６％
ベンゾフェノン−３：                                                      ４％
二酸化チタン：                                                            ８％
キサンタンゴム：                                                      ０．２％
ブチレングリコール：                                                      ５％
脱イオン水：                                                    適量、１００％
電解質３：                                                            １．５％
防腐剤、香料：                                                            適量
【０１０１】
例４９：混合肌タイプ用のケアジェル
電解質２：                                                                ４％
植物性スクアラン：                                                        ５％
ジメチコーン：                                                        １．５％
SEPICONTROL（登録商標） A5：                                              ４％
キサンタンゴム：                                                      ０．３％
水：                                                            適量：１００％
防腐剤、香料：                                                          適量。
【０１０２】
例５０：ヘアローション
ブチレングリコール：                                                  ３．０％
電解質２：                                                                ３％
SIMULSOL（登録商標） 1293：                                           ３．０％
乳酸：                                                          適量、ｐＨ＝６
SEPICIDE（登録商標） HB：                                             ０．２％
SEPICIDE（登録商標）CI：                                              ０．３％
香料：                                                                ０．３％
水：                                                            適量、１００％
【０１０３】
例５１：保護およびリラックス効果のあるシャンプー
Amonyl（登録商標） 675 SB：                                           ５．０％
２８％のナトリウムラウロイルエーテルサルファート：                  ３５．０％
電解質４：                                                            ３．０％
SEPICIDE（登録商標） HB：                                             ０．５％
SEPICIDE（登録商標） CI：                                             ０．３％
水酸化ナトリウム：                                          適量、ｐＨ＝７．２
香料：                                                                ０．３％
染料 （FDC blue 1/yellow 5）：                                            適量
水：                                                            適量、１００％
【０１０４】
例５２：「付けたままの」保護剤；毛髪用のアンチストレスケア
KETROL（登録商標）T：                                                 ０．５％
ココイルアミノ酸の混合物：                                            ３．０％
ブチレングリコール：                                                  ５．０％
DC 1501：                                                             ５．０％
電解質２：                                                            ４．０％
SEPICIDE（登録商標） HB：                                             ０．５％
SEPICIDE（登録商標） CI：                                             ０．３％
香料：                                                                ０．３％
水：                                                              適量、１００
【０１０５】
例５３：ビタミンクリーム
SIMULSOL（登録商標） 165：                                                ５％
MONTANOV（登録商標） 202：                                                １％
カプリリック／カプリック トリグリセリド：                               ２０％
ビタミンＡ パラミタート：                                             ０．２％
ビタミンＥアセタート：                                                    １％
MICROPEARL（登録商標） M 305：                                        １．５％
電解質３：                                                                ２％
水                                                              適量、１００％
防腐剤、香料                                                              適量
【０１０６】
例５４：日焼け止めジェル
電解質４：                                                          ３．００％
SEPICIDE（登録商標） CI：                                           ０．２０％
SEPICIDE（登録商標） HB：                                           ０．３０％
香料：                                                              ０．１０％
染料：                                                                    適量
シリカ：                                                             ３.００％
水：                                                            適量、１００％
シリコーンオイル：                                                    ２．０％
ベンゾフェノン−３：                                                ５．００％
例５５：リップグロス
電解質３：                                                          １．５０％
Schercemol（登録商標） TISC：                                     １５．００％
Vistanol（登録商標） NPGC：                                       １５．００％
Candurin Paprika：                                                  ０．５０％
MONTANOX（登録商標） 80：                                           １．００％
Antaron（登録商標） V216：                                          ０．９０％
アプリコットフレーバー：                                            ０．２０％
SEPICIDE（登録商標） HB：                                           ０．５０％
C Maltidex（登録商標） H16322：                                  適量 １００％
【０１０７】
例５６：Terre de soleilの圧縮粉末
電解質１：                                                          ２．００％
Lanol（登録商標） 99：                                            １２．００％
SEPIWHITE（登録商標） MSH：                                         １．００％
タルク：                                                          ３３．００％
MICROPEARL（登録商標） M310：                                       ３．００％
鉄黄：                                                              ０．８０％
弁柄：                                                              ０．３０％
黒色酸化鉄：                                                        ０．０５％
マイカ：                                                        適量、１００％
【０１０８】
例５７：アトピー傾向のある肌タイプ用のエマルション
ARLACEL（登録商標） P135：                                          ２．００％
電解質２：                                                          １．００％
Lanol（登録商標） 1688：                                          １４．００％
Primol（登録商標） 352：                                            ８．００％
グリセロール：                                                      ５．００％
水：                                                            適量、１００％
硫酸マグネシウム：                                                  ０．７０％
SEPICIDE（登録商標） HB：                                           ０．３０％
SEPICIDE（登録商標） CI：                                           ０．２０％
MICROPEARL（登録商標） M310：                                       ５．００％
【０１０９】
例５８：鎮痛サンケア（シリコーン中の水）
電解質３：                                                          ２．００％
DC5225C：                                                         ２０．００％
DC345：                                                           １０．００％
SEPICALM（登録商標） VG：                                           ３．００％
二酸化チタン MT100T：                                               ５．００％
酸化亜鉛Z COTE HP1：                                                ５．００％
SEPICIDE（登録商標） HB：                                           ０．３０％
香料：                                                              ０．０５％
SEPICIDE（登録商標） CI：                                           ０．２０％
グリセロール：                                                      ５．００％
塩化ナトリウム：                                                    ２．００％
水：                                                            適量、１００％
【０１１０】
例５９：多相ケア
電解質４：                                                          ３．００％
Ｃ１２−１５アルキルベンゾアート：                                ２５．００％
AQUAXYL（登録商標）：                                               ３．００％
SEPITONIC（登録商標） M3：                                          １．００％
SEPICIDE（登録商標） HB：                                           ０．５０％
SEPICIDE（登録商標） CI：                                           ０．３０％
【０１１１】
例６０：セルフタンニングジェル
電解質３：                                                            ５．０％
エタノール：                                                            ３０％
ジヒドロキシアセトン：                                                    ５％
メタノール：                                                          ０．１％
カフェイン：                                                          ２．５％
イブリー抽出物：                                                          ２％
SEPICIDE（登録商標） HB：                                                 １％
水：                                                            適量、１００％
【０１１２】
例６１：日焼け止めおよびセルフタンニングジェル
MONTANOV（登録商標） S：                                              ３．０％
グリセリルトリヘプタノアート：                                      １０．０％
LIPACIDE（登録商標） PVB：                                          １．０５％
電解質２：                                                            ２．２％
水：                                                            適量、１００％
ジヒドロキシアセトン：                                                    ５％
香料：                                                                ０．１％
SEPICIDE（登録商標） HB：                                             ０．３％
SEPICIDE（登録商標） CI：                                             ０．１％
PARSOL（登録商標） MCX：                                              ４．０％
【０１１３】
例６２：α−ヒドロキシ酸を有するセルフタンニングクリーム
MONTANOV（登録商標） 68：                                             ５．０％
LIPACIDE（登録商標） PVB：                                          １．０５％
Lanol（登録商標） 99：                                              １０．０％
水：                                                             適量 １００％
グルコン酸：                                                          １．５％
ジヒドロキシアセトン：                                                    ３％
トリエタノールアミン：                                                ０．９％
電解質１：                                                            １．５％
香料：                                                                ０．４％
SEPICIDE（登録商標） HB：                                             ０．２％
SEPICIDE（登録商標） CI：                                             ０．４％
【０１１４】
例６３：α−ヒドロキシ酸を有する、敏感肌用のセルフタンニングクリーム
Ｎ−ラウロイルアミノ酸の混合物：                                ０．１％〜５％
アスパラギン酸マグネシウムおよびアスパラギン酸カリウム：０．００２％〜０．５％
MONTANOV（登録商標） 68：                                             ５．０％
Lanol（登録商標） 99：                                                ２．０％
水：                                                            適量、１００％
乳酸：                                                                １．５％
ジヒドロキシアセトン：                                                ３．５％
トリエタノールアミン：                                                ０．９％
電解質１：                                                            １．５％
香料：                                                                ０．４％
SEPICIDE（登録商標） HB：                                            ０．３％
SEPICIDE（登録商標） CI：                                            ０．２％
【０１１５】
例６４：セルフタンニング保湿サテンエマルション
SIMULSOL（登録商標） 165：                                            ５．０％
Lanol（登録商標） 1688：                                              ８．５％
ガラムバター：                                                            ２％
液体パラフィン：                                                      ６．５％
Lanol（登録商標） 14M：                                                   ３％
Lanol（登録商標） S：                                                 ０．６％
水：                                                                ６６．２％
ジヒドロキシアセトン：                                                    ３％
Micropearl（登録商標） M 100：                                            ５％
電解質３：                                                                ３％
AQUAXYL（登録商標）：                                                     ５％
ビタミンＥアセタート：                                              ０．２０％
ナトリウムピロリジノカルボキラート：                                ０．２０％
香料：                                                                ０．２％
SEPICIDE（登録商標） HB：                                             ０．５％
SEPICIDE（登録商標） CI：                                             ０．３％
これらの例で使用する市販製品の定義は以下の通りである：
SIMULSOL（登録商標） 1293は、水添されエトキシル化されたひまし油であり、４に等しいエトキシル化指数を有し、企業SEPPICにより販売されている。  
CAPIGEL（登録商標） 98は、アクリラートコポリマーをベースにした液体増粘剤であって、企業SEPPICによって販売されている。  
KETROL（登録商標） Ｔは、KELCOによって販売されているキサンタンゴムである。  
LANOL（登録商標） 99は、企業SEPPIC によって販売されているイソノニルイソノナノアートである。  
DC1501は、シクロペンタシロキサンとジメチコノールとの混合物であり、企業DOW CHEMICALによって販売されている。  
MONTANOV（登録商標） 82は、セテアリルアルコールとココイルグルコシドとをベースにした乳化剤である。  
MONTANOV（登録商標） 68 （セテアリルグルコシド）は、WO 92/06778に記載された自己乳化性組成物であり、企業SEPPICによって販売されている。  
MICROPEARL（登録商標） M 100は、非常に柔らか触感と艶消し効果とを有する超微細粉末であり、企業MATSUMO によって販売されている。  
SEPICIDE（登録商標） CI，イミダゾリジン尿素，は企業SEPPICによって販売されている防腐剤である。
【０１１６】
PEMULEN（登録商標） TR1は、GOODRICHによって販売されているアクリル酸ポリマーである。  
SIMULSOL（登録商標） 165は、自己乳化性グリセロールステアラートであり、企業SEPPICによって販売されている。  
LANOL（登録商標） 1688は、べたつかないエモリエントエステルであり、企業SEPPICによって販売されている。  
LANOL（登録商標） 14MおよびLANOL（登録商標） Sは、企業SEPPICによって販売されているコンシステンシーファクターである。  
SEPICIDE（登録商標） HBは、フェノキシエタノールと、メチルパラベンと、エチルパラベンと、プロピルパラベンと、ブチルパラベンとの混合物であって、企業SEPPICによって販売されている防腐剤である。  
AQUAXYL（登録商標）は、企業SEPPICによって販売されている保湿剤である。  
SCHERCEMOL（登録商標） OPはべたつかないエモリエントエステルである。  
LANOL（登録商標） Pは、安定化効果を有する添加剤であり、企業SEPPICによって販売されている。  
PARSOL（登録商標） MCXは、オクチルパラ−メトキシシンナマーとであって；企業GIVAUDANによって販売されている。  
MONTANOV（登録商標） Sは、企業SEPPICによって販売されている艶出し剤であって、アルキルポリグルコシドの混合物たとえばWO 95/13863に記載されたそれをベースにしている。  
MICROPEARL（登録商標） SQLは、マッサージによって放出されるスクワランを含有する微小粒子である；企業MATSUMOによって販売されている。  
LANOL（登録商標） 37Tは、企業SEPPICによって販売されているグリセロールトリヘプタノアートである。  
SOLAGUM（登録商標） Lは、企業SEPPICによって販売されているカラギーナンである。  
MARCOL（登録商標） 82は、企業EXXONによって販売されているパラフィンオイルである。  
LANOL（登録商標） 84Dは、企業SEPPICによって販売されているジオクチルマラートである。  
PARSOL（登録商標） NOXは、企業GIVAUDANによって販売されているサンフィルタである。  
EUSOLEX（登録商標） 4360は、企業MERCKによって販売されているサンフィルタである。  
DOW CORNING（登録商標） 245 Fluidは、企業DOW CORNINGによって販売されているシクロメチコーンである。  
LIPACIDE（登録商標） PVBは、企業SEPPICによって販売されている、小麦タンパク質のアクリル化水解物である。  
MICROPEARL（登録商標） LMは、スクワランとポリメチルメタクリラートとメタノールとの混合物であって、企業SEPPICによって販売されている。  
SEPICONTROL（登録商標） A5は、企業SEPPICによって販売されている、カプリロイグリシンとサルコシンとシナモンジラニカム抽出物との混合物であって、たとえば、１９９８年６月２３日に出願された国際出願PCT/FR98/01313に記載されたそれである。  
LANOL（登録商標） 2681は、コプラカプリラートとカプラートとの混合物であり、企業SEPPICによって販売されている。  
MONTANOV（登録商標） 202は、WO9 98/47610に記載されているAPG／脂肪族アルコール組成物であり、企業SEPPICによって販売されている。  
PROTEOL（登録商標） APLは、企業SEPPICによって販売されている、発泡性界面活性剤である。  
SCHERCEMOL（登録商標） TISCは、企業SCHERによって販売されているエステル（トリ−イソステアリルシトラート）である。  
VISTANOL（登録商標） NPGCは、企業SEWA KASEIによって販売されているエステル（ネオペンチルグリコールジカプラート）である。  
ANTARON（登録商標） V216は、企業UNIVARによって流通されている合成ポリマー（ＰＶＰ／ヘキサデセンコポリマー）である。  
C MALTIDEX（登録商標） H16322は、企業CERESTARによって販売されているポリオール（マルチトールシロップ）である  
SEPIWHITE（登録商標）MSHは、企業SEPPICによって販売されている脱色剤（Ｎ−ウンデシレノイルフェニルアラニン）である。  
DC 345は、企業Dow Corningによって販売されているシクロメチコーンである。  
DC 5225Cは、シクロペンタシロキサンとジメチコーンコポリオールとの混合物であり、企業DOW CORNINGによって販売されている。  
SEPICALM（登録商標） VGは、企業SEPPICによって販売されている鎮痛剤（ナトリウムパルミトイルプロリン）である。  
MT100VTは、表面処理（水酸化アルミニウム／ステアリン酸）をされた超微粉二酸化チタンであって、企業UNIPEXによって流通されている。  
Z COTE HP1は、表面処理をされた超微粉酸化亜鉛であって、GATTEFOSSEによって流通されている。  
CANDURIN PAPRIKAは、ケイ酸カリウムおよびアルミニウムと酸化鉄との混合物である。  
MICROPEARL（登録商標） M 310は、非常に柔らか触感と艶消し効果とを有する超微細粉末であり、企業MATSUMOによって販売されている。  
PRIMOL（登録商標） 352は企業EXXONによって販売されている鉱油である。  
PECOSIL（登録商標）DCTは、ナトリウムジメチコーンPEG-7 アセチルメチルタウラートであり、企業PHOENIXによって販売されている。  
PECOSIL（登録商標）PS 100は、ジメチコーンPEG-7であって、企業PHOENIXによって販売されている。
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
部分的に塩化されたまたは完全に塩化された２−メチル２［（１−オキソ２−プロペニル）アミノ］１−プロパンスルフォン酸の、アクリルアミド、（２−ヒドロキシ−エチル）アクリラートまたはＮ,Ｎ−ジメチルアクリルアミドより選択される少なくとも１種の中性モノマー、およびテトラエトキシル化ラウリルメタクリラートまたはエイコサエトキシル化ステアリルメタクリラートより選択される式（Ｉ）の少なくとも１種のモノマーとの少なくとも１種の架橋剤の存在下での重合の結果から得られる架橋されたアニオン性高分子電解質：
【化１】
2013504645.tif 000009
ここで、Ｒは８個から２０個までの炭素原子を有する線状または分枝のアルキル基を表しており、ｎは１以上２０以下の数を表している。
【請求項２】
強酸機能を有する前記モノマーは、アンモニウム塩の形態で部分的にまたは完全に塩化されている、２−メチル２［（１−オキソ２−プロペニル）アミノ］１−プロパンスルフォン酸である請求項１に記載のアニオン性高分子電解質。
【請求項３】
前記中性モノマーはＮ,Ｎ−ジメチルアクリルアミドである請求項１または２に記載のアニオン性高分子電解質。
【請求項４】
前記中性モノマーはアクリルアミドである請求項１または２に記載のアニオン性高分子電解質。
【請求項５】
前記中性モノマーは（２−ヒドロキシ−エチル）アクリラートである請求項１または２に記載のアニオン性高分子電解質。
【請求項６】
以下のポリマーより選択される請求項１〜５のいずれか１項に記載のアニオン性高分子電解質：
−アンモニウム塩の状態で完全に塩化された２−メチル２−［（１−オキソ２−プロペニル）アミノ］１−プロパンスルフォン酸と、アクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、アクリルアミドと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、エイコサエトキシル化ステアリルメタクリラートとの、トリメチロールプロパントリアクリラートで架橋されたターポリマー。
【請求項７】
使用するモノマーを１００％として：
−２０ｍｏｌ．％から８０ｍｏｌ．％までの、強酸機能を有するモノマーに由来するモノマー単位；
−１５ｍｏｌ．％から７５ｍｏｌ．％までの、中性モノマーに由来するモノマー単位；
−０．５％から５ｍｏｌ．％までの、上で定義した式（Ｉ）のモノマーに由来するモノマー単位
を含む請求項１〜６のいずれか１項に記載の架橋されたアニオン性高分子電解質。
【請求項８】
使用するモノマーを１００％として：
−５５ｍｏｌ．％から８０ｍｏｌ．％までの、強酸機能を有するモノマーに由来するモノマー単位；
−１５ｍｏｌ．％から４０ｍｏｌ．％までの、中性モノマーに由来するモノマー単位；
−１％から５ｍｏｌ．％までの、上で定義した式（Ｉ）のモノマーに由来するモノマー単位
を含む請求項７に記載の架橋されたアニオン性高分子電解質。
【請求項９】
化粧品用、皮膚医薬用または医薬用の局所組成物の増粘剤および／または安定剤および／または乳化剤としての、請求項１〜７のいずれか１項に記載のアニオン性高分子電解質の使用。
【請求項１０】
０．１〜１０重量％の請求項１〜７のいずれか１項に記載のアニオン性高分子電解質を含む局所組成物。
【手続補正２】
【補正対象書類名】明細書
【補正対象項目名】０００９
【補正方法】変更
【補正の内容】
【０００９】
それは、本発明の第１の態様によると、部分的に塩化されたまたは完全に塩化された２−メチル２［（１−オキソ２−プロペニル）アミノ］１−プロパンスルフォン酸の、（２−ヒドロキシ−エチル）アクリラートまたはＮ,Ｎ−ジメチルアクリルアミドから選択される少なくとも１種の中性モノマー、およびテトラエトキル化ラウリルメタクリラートまたはエイコサエトキシル化ステアリルメタクリラートから選択される式（Ｉ）の少なくとも１種のモノマーとのある架橋剤の存在下での重合の結果から得られる分枝または架橋されたアニオン性高分子電解質に関する。
【化２】
2013504645.tif 000010
【手続補正３】
【補正対象書類名】明細書
【補正対象項目名】００１１
【補正方法】変更
【補正の内容】
【００１１】
「架橋されたポリマー」は非線状ポリマーであって、三次元ネットワークの状態にあり、水に不溶であるが水中で膨潤可能であり、そのため化学ゲルの生成をもたらすポリマーを示す。本発明による組成物は架橋ユニットおよび／または分枝ユニットを含むことができる。
【手続補正４】
【補正対象書類名】明細書
【補正対象項目名】００１２
【補正方法】変更
【補正の内容】
【００１２】
もう１つの特定の実施形態によると、アニオン性高分子電解質は、用いられるモノマーに対して相対的に表すと、０．００５％から１％まで、より詳細には０．０１％から０．５％までおよびかなり詳細には０．０１％から０．２５％までのモル割合のジエチレンまたはポリエチレン化合物によって架橋されている。
【手続補正５】
【補正対象書類名】明細書
【補正対象項目名】００１４
【補正方法】変更
【補正の内容】
【００１４】
本発明の範囲内において、上で定義したアニオン性高分子電解質は、強酸機能を有する、一般に５ｍｏｌ．％〜９５ｍｏｌ．％、より詳細には１０ｍｏｌ．％〜９０ｍｏｌ．％およびかなり詳細には２０ｍｏｌ．％〜８０ｍｏｌ．％のモノマーを含む。
【手続補正６】
【補正対象書類名】明細書
【補正対象項目名】００１５
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】０１１５
【補正方法】変更
【補正の内容】
【０１１５】
例６４：セルフタンニング保湿サテンエマルション
SIMULSOL（登録商標） 165：                                            ５．０％
Lanol（登録商標） 1688：                                              ８．５％
ガラムバター：                                                            ２％
液体パラフィン：                                                      ６．５％
Lanol（登録商標） 14M：                                                   ３％
Lanol（登録商標） S：                                                 ０．６％
水：                                                                ６６．２％
ジヒドロキシアセトン：                                                    ３％
Micropearl（登録商標） M 100：                                            ５％
電解質３：                                                                ３％
AQUAXYL（登録商標）：                                                     ５％
ビタミンＥアセタート：                                              ０．２０％
ナトリウムピロリジノカルボキラート：                                ０．２０％
香料：                                                                ０．２％
SEPICIDE（登録商標） HB：                                             ０．５％
SEPICIDE（登録商標） CI：                                             ０．３％
これらの例で使用する市販製品の定義は以下の通りである：
SIMULSOL（登録商標） 1293は、水添されエトキシル化されたひまし油であり、４に等しいエトキシル化指数を有し、企業SEPPICにより販売されている。  
CAPIGEL（登録商標） 98は、アクリラートコポリマーをベースにした液体増粘剤であって、企業SEPPICによって販売されている。  
KETROL（登録商標） Ｔは、KELCOによって販売されているキサンタンゴムである。  
LANOL（登録商標） 99は、企業SEPPIC によって販売されているイソノニルイソノナノアートである。  
DC1501は、シクロペンタシロキサンとジメチコノールとの混合物であり、企業DOW CHEMICALによって販売されている。  
MONTANOV（登録商標） 82は、セテアリルアルコールとココイルグルコシドとをベースにした乳化剤である。  
MONTANOV（登録商標） 68 （セテアリルグルコシド）は、WO 92/06778に記載された自己乳化性組成物であり、企業SEPPICによって販売されている。  
MICROPEARL（登録商標） M 100は、非常に柔らか触感と艶消し効果とを有する超微細粉末であり、企業MATSUMO によって販売されている。  
SEPICIDE（登録商標） CI，イミダゾリジン尿素，は企業SEPPICによって販売されている防腐剤である。
PEMULEN（登録商標） TR1は、GOODRICHによって販売されているアクリル酸ポリマーである。  
SIMULSOL（登録商標） 165は、自己乳化性グリセロールステアラートであり、企業SEPPICによって販売されている。  
LANOL（登録商標） 1688は、べたつかないエモリエントエステルであり、企業SEPPICによって販売されている。  
LANOL（登録商標） 14MおよびLANOL（登録商標） Sは、企業SEPPICによって販売されているコンシステンシーファクターである。  
SEPICIDE（登録商標） HBは、フェノキシエタノールと、メチルパラベンと、エチルパラベンと、プロピルパラベンと、ブチルパラベンとの混合物であって、企業SEPPICによって販売されている防腐剤である。  
AQUAXYL（登録商標）は、企業SEPPICによって販売されている保湿剤である。  
SCHERCEMOL（登録商標） OPはべたつかないエモリエントエステルである。  
LANOL（登録商標） Pは、安定化効果を有する添加剤であり、企業SEPPICによって販売されている。  
PARSOL（登録商標） MCXは、オクチルパラ−メトキシシンナマーとであって；企業GIVAUDANによって販売されている。  
MONTANOV（登録商標） Sは、企業SEPPICによって販売されている艶出し剤であって、アルキルポリグルコシドの混合物たとえばWO 95/13863に記載されたそれをベースにしている。  
MICROPEARL（登録商標） SQLは、マッサージによって放出されるスクワランを含有する微小粒子である；企業MATSUMOによって販売されている。  
LANOL（登録商標） 37Tは、企業SEPPICによって販売されているグリセロールトリヘプタノアートである。  
SOLAGUM（登録商標） Lは、企業SEPPICによって販売されているカラギーナンである。  
MARCOL（登録商標） 82は、企業EXXONによって販売されているパラフィンオイルである。  
LANOL（登録商標） 84Dは、企業SEPPICによって販売されているジオクチルマラートである。  
PARSOL（登録商標） NOXは、企業GIVAUDANによって販売されているサンフィルタである。  
EUSOLEX（登録商標） 4360は、企業MERCKによって販売されているサンフィルタである。  
DOW CORNING（登録商標） 245 Fluidは、企業DOW CORNINGによって販売されているシクロメチコーンである。  
LIPACIDE（登録商標） PVBは、企業SEPPICによって販売されている、小麦タンパク質のアクリル化水解物である。  
MICROPEARL（登録商標） LMは、スクワランとポリメチルメタクリラートとメタノールとの混合物であって、企業SEPPICによって販売されている。  
SEPICONTROL（登録商標） A5は、企業SEPPICによって販売されている、カプリロイグリシンとサルコシンとシナモンジラニカム抽出物との混合物であって、たとえば、１９９８年６月２３日に出願された国際出願PCT/FR98/01313に記載されたそれである。  
LANOL（登録商標） 2681は、コプラカプリラートとカプラートとの混合物であり、企業SEPPICによって販売されている。  
MONTANOV（登録商標） 202は、WO9 98/47610に記載されているAPG／脂肪族アルコール組成物であり、企業SEPPICによって販売されている。  
PROTEOL（登録商標） APLは、企業SEPPICによって販売されている、発泡性界面活性剤である。  
SCHERCEMOL（登録商標） TISCは、企業SCHERによって販売されているエステル（トリ−イソステアリルシトラート）である。  
VISTANOL（登録商標） NPGCは、企業SEWA KASEIによって販売されているエステル（ネオペンチルグリコールジカプラート）である。  
ANTARON（登録商標） V216は、企業UNIVARによって流通されている合成ポリマー（ＰＶＰ／ヘキサデセンコポリマー）である。  
C MALTIDEX（登録商標） H16322は、企業CERESTARによって販売されているポリオール（マルチトールシロップ）である  
SEPIWHITE（登録商標）MSHは、企業SEPPICによって販売されている脱色剤（Ｎ−ウンデシレノイルフェニルアラニン）である。  
DC 345は、企業Dow Corningによって販売されているシクロメチコーンである。  
DC 5225Cは、シクロペンタシロキサンとジメチコーンコポリオールとの混合物であり、企業DOW CORNINGによって販売されている。  
SEPICALM（登録商標） VGは、企業SEPPICによって販売されている鎮痛剤（ナトリウムパルミトイルプロリン）である。  
MT100VTは、表面処理（水酸化アルミニウム／ステアリン酸）をされた超微粉二酸化チタンであって、企業UNIPEXによって流通されている。  
Z COTE HP1は、表面処理をされた超微粉酸化亜鉛であって、GATTEFOSSEによって流通されている。  
CANDURIN PAPRIKAは、ケイ酸カリウムおよびアルミニウムと酸化鉄との混合物である。  
MICROPEARL（登録商標） M 310は、非常に柔らか触感と艶消し効果とを有する超微細粉末であり、企業MATSUMOによって販売されている。  
PRIMOL（登録商標） 352は企業EXXONによって販売されている鉱油である。  
PECOSIL（登録商標）DCTは、ナトリウムジメチコーンPEG-7 アセチルメチルタウラートであり、企業PHOENIXによって販売されている。  
PECOSIL（登録商標）PS 100は、ジメチコーンPEG-7であって、企業PHOENIXによって販売されている。
以下に、本願出願の当初の特許請求の範囲に記載された発明を付記する。
［１］強酸機能を有し、部分的に塩化されたまたは完全に塩化された少なくとも１種のモノマーの、少なくとも１種の中性モノマー、および式（Ｉ）の少なくとも１種のモノマーとの少なくとも１種の架橋剤の存在下での重合の結果から得られる架橋されたアニオン性高分子電解質：
【化３】
2013504645.tif 000011
ここで、Ｒは８個から２０個までの炭素原子を有する線状または分枝のアルキル基を表しており、ｎは１以上２０以下の数を表している。
［２］強酸機能を有する前記モノマーは部分的に塩化されたまたは完全に塩化された２−メチル２［（１−オキソ２−プロペニル）アミノ］１−プロパンスルフォン酸である［１］に記載のアニオン性電解質。
［３］強酸機能を有する前記モノマーは、アンモニウム塩の形態で部分的にまたは完全に塩化されている、２−メチル２［（１−オキソ２−プロペニル）アミノ］１−プロパンスルフォン酸である［２］に記載のアニオン性高分子電解質。
［４］前記中性モノマーはアクリルアミド、（２−ヒドロキシ−エチル）アクリラートまたはＮ,Ｎ−ジメチルアクリルアミドより選択される［１］〜［３］のいずれか１つに記載のアニオン性高分子電解質。
［５］前記中性モノマーはＮ,Ｎ−ジメチルアクリルアミドである［４］に記載のアニオン性高分子電解質。
［６］前記中性モノマーはアクリルアミドである［４］に記載のアニオン性高分子電解質。
［７］前記中性モノマーは（２−ヒドロキシ−エチル）アクリラートである［４］に記載のアニオン性高分子電解質。
［８］式（Ｉ）において、Ｒは１２個から１８個までの炭素原子を有するアルキル基を表している［１］〜［７］のいずれか１つに記載のアニオン性高分子電解質。
［９］式（Ｉ）の前記モノマーはテトラエトキシル化ラウリルメタクリラートである［８］に記載のアニオン性高分子電解質。
［１０］式（Ｉ）の前記モノマーはエイコサエトキシル化ステアリルメタクリラートである［８］に記載のアニオン性高分子電解質。
［１１］以下のポリマーより選択される［１］〜［１０］のいずれか１つに記載のアニオン性高分子電解質：
−アンモニウム塩の状態で完全に塩化された２−メチル２−［（１−オキソ２−プロペニル）アミノ］１−プロパンスルフォン酸と、アクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、アクリルアミドと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、２−ヒドロキシ−エチルアクリラートと、エイコサエトキシル化ステアリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、テトラエトキシル化ラウリルメタクリラートとの、トリメチロールプロパントリアクリラートで架橋されたターポリマー；
−アンモニウム塩の状態で完全に塩化された２−メチル２−［（１−オキソ２−プロペニル）アミノ］１−プロパンスルフォン酸と、Ｎ,Ｎ−ジメチルアクリルアミドと、エイコサエトキシル化ステアリルメタクリラートとの、トリメチロールプロパントリアクリラートで架橋されたターポリマー。
［１２］使用するモノマーを１００％として：
−２０ｍｏｌ．％から８０ｍｏｌ．％までの、強酸機能を有するモノマーに由来するモノマー単位；
−１５ｍｏｌ．％から７５ｍｏｌ．％までの、中性モノマーに由来するモノマー単位；
−０．５％から５ｍｏｌ．％までの、上で定義した式（Ｉ）のモノマーに由来するモノマー単位
を含む［１］〜［１１］のいずれか１つに記載の分枝または架橋されたアニオン性高分子電解質。
［１３］使用するモノマーを１００％として：
−５５ｍｏｌ．％から８０ｍｏｌ．％までの、強酸機能を有するモノマーに由来するモノマー単位；
−１５ｍｏｌ．％から４０ｍｏｌ．％までの、中性モノマーに由来するモノマー単位；
−１％から５ｍｏｌ．％までの、上で定義した式（Ｉ）のモノマーに由来するモノマー単位
を含む請求項１２に記載の分枝または架橋されたアニオン性高分子電解質。
［１４］化粧品用、皮膚医薬用または医薬用の局所組成物の増粘剤および／または安定剤および／または乳化剤としての、［１］〜［１３］のいずれか１つに記載のアニオン性高分子電解質の使用。
［１５］０．１〜１０重量％の［１］〜［１３］のいずれか１つに記載のアニオン性高分子電解質を含む局所組成物。
【国際調査報告】
2013504645.tif 000012
2013504645.tif 000013
2013504645.tif 000014
2013504645.tif 000015